(57)【要約】      （修正有）【課題】吸盤を備えない軽量の樹脂製剣山等を使用した生け花において、生けた花の重みで生け花全体が倒伏するという課題を解消し、自由に花を生けることができるようにした剣山用マットを提供する。【解決手段】柔軟なシート部１の表裏面に、多数の吸盤部（表面吸盤部２及び裏面吸盤部３）を設けてなる剣山用マットで、花器Ａの内底面に敷いて裏面吸盤部でマットを吸着固定し、既存の剣山Ｂをマットの表面吸盤部２に押し付けて固定し、剣山を花器に固定する。【選択図】図４
0003188165.tif 000002
【実用新案登録請求の範囲】
【請求項１】
柔軟なシート部の表裏面に、多数の吸盤部を設けてなることを特徴とする剣山用マット。
【請求項２】
吸盤部が、シート部から突設した軸部と、軸部先方に設けた椀状の吸盤で構成されると共に、前記吸盤部とシート部を、ゴム質材で一体成形してなる請求項１記載の剣山用マット。
【請求項３】
吸盤部を一定の間隔で整列して設けてなる請求項１又は２記載の剣山用マット。
【請求項４】
表面の吸盤部の吸盤径を、裏面の吸盤径より大きく形成すると共に、裏面の吸盤部を表面より密に設けてなる請求項３記載の剣山用マット。
【請求項５】
表裏面の総吸盤面積が近似するように、吸盤部の数を定めてなる請求項４記載の剣山用マット。
【請求項６】
表面の吸盤部の吸盤直径を１４〜１７ｍｍとし、裏面の吸盤直径を８〜１１ｍｍとしてなる請求項３乃至５記載の何れかの剣山用マット。
【考案の詳細な説明】
【技術分野】
【０００１】
本考案は、剣山の下に敷く剣山用マットに関するものである。
【背景技術】
【０００２】
一般的な剣山は、鉛や真鍮等で形成されたベース部に、真鍮製の針を多数植立して形成されている。前記の剣山は、生け花を安定させるために相応の重量を有する必要があるが、重量が増すと取り扱いに不便であるという問題が生ずる。この対策として従前より軽量化を容易に実現できる樹脂製の剣山が採用されている。しかし軽量化を図ると、生け花に使用した際に、全体の重心が高くなり安定性に欠けるという問題があり、安定性確保のために、剣山に吸盤を付設することが提案されている。
【０００３】
例えば特許文献１（特開平６−２９６５３９号公報）には、剣山のベース部底面に穴を穿ち、当該穴内に吸盤の基部を配置し、再度樹脂で前記基部を埋め込むことで吸盤を装着している剣山が開示されており、特許文献２（特開２００２−３４２４１４号公報：本願と同一人の出願）には、ベース部の下方全体で吸盤作用をなす吸盤体を、剣山のベース部に装着する手段が開示されている。
【先行技術文献】
【特許文献】
【０００４】
【特許文献１】特開平６−２９６５３９号公報。
【特許文献２】特開２００２−３４２４１４号公報。
【考案の概要】
【考案が解決しようとする課題】
【０００５】
特許文献１に示されているとおり、樹脂製剣山に吸盤を設ける手段は、剣山を安定化するためには複数の吸盤を設ける必要があり、製造が煩雑であると共に、製造コストも高められることになる。また特許文献２に示されているような剣山ベース部を包むように装着する吸盤体を採用する場合は、剣山と吸盤体の寸法の一致が必要で、規格としなければならない不都合があり、既存の多様な形状のベース部を備えた剣山には対応できない。
【０００６】
そこで本考案は、既存の剣山に加工を施すことなく、且つ多様な形状のベース部を備えた剣山を安定して使用することのできる新規な剣山用マットを提案したものである。
【課題を解決するための手段】
【０００７】
本考案（請求項１）に係る剣山用マットは、柔軟なシート部の表裏面に、多数の吸盤部を設けてなることを特徴とするものである。而して前記剣山用マットは、花器の内底面に敷いて裏面の吸盤部で吸着固定し、既存の剣山をマット表面の吸盤部に押し付けて固定し、剣山を花器に固定するものである。従って軽量な剣山であっても、また花器の内底面に凹凸があっても、剣山を安定させて使用することができる。
【０００８】
また本考案（請求項２）に係る剣山用マットは、前記マットにおいて、特に吸盤部が、シート部から突設した軸部と、軸部先方に設けた椀状の吸盤で構成されると共に、前記吸盤部とシート部を、ゴム質材で一体成形してなるもので容易に製出できる。
【０００９】
また本考案（請求項３）に係る剣山用マットは、特に吸盤部を一定の間隔で整列して設けてなるもので、花器へのマット装着位置や、マット上の剣山装着位置を任意に定めることができる。
【００１０】
また本考案（請求項４）に係る剣山用マットは、前記の請求項３記載の剣山用マットにおいて、表面の吸盤部の吸盤径を、裏面の吸盤径より大きく形成すると共に、裏面の吸盤部を表面より密に設けてなるもので、裏面の吸盤部を小径吸盤で且つ密に設けることによって、多種多様の花器の凹凸内底面に対してマットを吸着固定することができ、表面側は、大径吸盤で且つ粗く設けても、平滑な剣山底面を大径吸盤に吸着固定させることで、剣山を容易に固定させることができる。
【考案の効果】
【００１１】
本考案の構成は上記のとおりで、花器と剣山の間に本考案のマットを介在させることで、剣山を花器に容易に固定することができたもので、剣山の自重でのみ生け花を安定させていた金属製の剣山でも、また軽量化を図った樹脂製剣山でも、既存の剣山をそのままで、剣山に生け花の荷重が加わっても何らの支障も生じなく、自由に花を生けることを可能としたものである。
【図面の簡単な説明】
【００１２】
【図１】本考案の実施形態の全体斜視図（表面視）。
【図２】同図（裏面視）。
【図３】使用状態の説明図（斜視図）。
【図４】同図（断面図）。
【考案を実施するための形態】
【００１３】
次に本考案の実施形態について説明する。実施形態に示した剣山用マットは、全体を柔軟なゴム質材で一体成形で製出したもので、シート部１と、多数の表面吸盤部２及び裏面吸盤部３で構成されているものである。
【００１４】
シート部１は、任意形状とすることができるが、実施形態として示した物のシート部１は、９５×１１５ｍｍの長方形で厚さ１．４ｍｍ程度としたもので、自由に変形できるようにしてなる。
【００１５】
表面吸盤部２及び裏面吸盤部３は、各々シート部１から突設した軸部２１，３１と、軸部２１，３１の先端に設けた椀状の吸盤２２，３２で構成されるもので、表面吸盤部２は、吸盤直径を１５ｍｍで、隣接間隔を２２ｍｍの菱形配置とし、１７個を設けてなる。
【００１６】
裏面吸盤部３は、吸盤直径を１０ｍｍで、隣接間隔を１７ｍｍの格子配置とし、５×７の３５個を設けてなり、表裏面の総吸盤面積が近似するようにしてなる。
【００１７】
而して前記の剣山用マットは、花器Ａの内底面ａに敷き、その上に剣山Ｂを載置し、花Ｃを生けるもので、花器Ａの内底面ａにマットの裏面吸盤部３の吸盤３２を押し付けて、マットを花器Ａの内底面ａに吸着固定する。特に裏面の前記吸盤３２は小径とし、且つ密に設けているので、陶磁器製である花器Ａの内底面ａが凹凸面であっても、小径吸盤（裏面の吸盤３２）の吸着で、マット全体が確りと吸着固定されるものである。
【００１８】
次に、マットの表面に剣山Ｂを載置して軽くマットに押し付けると、剣山Ｂの底面ｂに表面吸盤部２の複数個所の吸盤２２が吸着し、剣山Ｂを固定する。
【００１９】
この結果、剣山Ｂは、マットを介して花器Ａに確りと固定されることになり、例え軽量の樹脂製剣山Ｂを採用して生け花を行っても、生け花の重みによって全体が倒伏することもなく、自由に花Ｃを生けることができるものである。
【符号の説明】
【００２０】
１      シート部
２      表面吸盤部
３      裏面吸盤部
２１，３１  軸部
２２，３２  吸盤
Ａ      花器
Ｂ      剣山
Ｃ      花
【図１】
0003188165.tif 000003
【図２】
0003188165.tif 000004
【図３】
0003188165.tif 000005
【図４】
0003188165.tif 000006